(57)【要約】【課題】制御信号により２つの監視の状態を切り替えて交互に監視を行うに際し、２つの状態の切り替えが正常に行われなかったことによる監視結果の誤判定を防止することができる電池異常判定装置を提供する。【解決手段】監視ＩＣ２０それぞれは、デイジーチェーン方式で接続された高電圧側の監視ＩＣ２０から制御信号（第１、第２クロック信号）を入力すると共に、この制御信号に基づいて過充電を監視する状態と断線を監視する状態との切り替えが正常に行われたか否かを検出する状態遷移異常検出部５１と、この検出結果を出力信号に含ませて出力する所定パターン生成部５４、５５とを備えている。そして、マイコン３０は、監視ＩＣ２０のうち最も低電圧側の監視ＩＣ２０から入力した出力信号に切り替えが正常に行われていない検出結果が含まれている場合、監視状態の切り替えに異常が生じていると判定する。【選択図】図４
2011134577.tif 000002
【特許請求の範囲】
【請求項１】
複数の電池セルが直列に接続される組電池を所定数の電池セル毎にグループ化した単位電池それぞれに対応して設けられ、前記単位電池を構成する電池セルそれぞれの過充電と断線とをそれぞれ監視し、当該監視結果を出力信号として出力する複数の電池監視手段と、
前記複数の電池監視手段のうち最も高電圧側の電池監視手段に対して制御信号を出力することにより、前記複数の電池監視手段において前記過充電を監視する状態と前記断線を監視する状態とを交互に切り替えて実行させる制御手段と、を備え、
前記出力信号および前記制御信号が、前記複数の電池監視手段における高電圧側の前記単位電池に対応する電池監視手段から低電圧側の単位電池に対応する電池監視手段へと順次出力されるように前記複数の電池監視手段がデイジーチェーン方式で接続されることで全ての電池セルが監視されるように構成された電池異常判定装置であって、
前記複数の電池監視手段それぞれは、前記デイジーチェーン方式で接続された高電圧側の電池監視手段から前記制御信号を入力すると共に、この制御信号に基づいて前記過充電を監視する状態と前記断線を監視する状態との切り替えが正常に行われたか否かを検出し、この検出結果を前記出力信号に含ませて出力する状態遷移異常検出手段を備え、
前記制御手段は、前記複数の電池監視手段のうち最も低電圧側の電池監視手段から前記出力信号を入力し、この出力信号に前記切り替えが正常に行われていない検出結果が含まれている場合、前記過充電を監視する状態と前記断線を監視する状態との切り替えに異常が生じていると判定することを特徴とする電池異常判定装置。
【請求項２】
前記制御信号は、所定のクロック周波数の第１クロック信号と、この第１クロック信号よりも低いクロック周波数の第２クロック信号との２つの信号で構成されており、
前記複数の電池監視手段は、前記第１クロック信号に従って動作する一方、前記第２クロック信号が入力されると、前記過充電を監視する状態と前記断線を監視する状態とを切り替えるようになっており、
前記状態遷移異常検出手段は、前記第２クロック信号が前回入力されたときから今回入力されたときまで前記第１クロック信号が同じ状態を維持している場合、前記第２クロック信号が入力されたタイミングで前記出力信号に前記切り替えが正常に行われていない検出結果を含ませて出力することを特徴とする請求項１に記載の電池異常判定装置。
【請求項３】
前記制御信号は、所定のクロック周波数の第１クロック信号と、この第１クロック信号よりも低いクロック周波数の第２クロック信号との２つの信号で構成され、
前記複数の電池監視手段は、前記第２クロック信号が入力されると、前記過充電を監視する状態と前記断線を監視する状態とを切り替えるようになっており、
前記制御手段は、前記第１クロック信号を所定の回数出力した際に前記第２クロック信号を出力するようになっており、
前記状態遷移異常検出手段は、前記第１クロック信号が所定の回数だけ入力される間に前記第２クロック信号が入力されない場合、または、前記第２クロック信号が入力された後に前記第１クロック信号が所定の回数だけ入力されたにも関わらず前記第２クロック信号が同じ状態を維持している場合、前記出力信号に前記切り替えが正常に行われていない検出結果を含ませて出力することを特徴とする請求項１または２に記載の電池異常判定装置。
【請求項４】
前記出力信号は、第１出力信号と第２出力信号との２つの信号で構成されており、
前記状態遷移異常検出手段は、前記切り替えが正常に行われていない検出結果を、前記第１出力信号をローレベルとすると共に前記第２出力信号をハイレベルとするパターンとして出力することを特徴とする請求項１ないし３のいずれか１つに記載の電池異常判定装置。
【発明の詳細な説明】
【技術分野】
【０００１】
本発明は、複数の電池セルが直列接続されて構成される組電池を監視する電池異常判定装置に関する。
【背景技術】
【０００２】
従来より、産業用バッテリのセルを監視する装置が、例えば特許文献１で提案されている。具体的に、特許文献１では、多数のセル監視装置がデイジーチェーン方式で直列接続され、バッテリ集中監視システムにより産業用バッテリ全体が監視される構成が提案されている。
【０００３】
これによると、バッテリ集中監視システムから各セル監視装置に順にセルの故障診断の指令が出され、各セル監視装置の診断結果は各セル監視装置を順次介してバッテリ集中監視システムに入力される。
【先行技術文献】
【特許文献】
【０００４】
【特許文献１】特表２００２−５２１７９２号公報
【発明の概要】
【発明が解決しようとする課題】
【０００５】
上記従来の技術において、各セル監視装置に例えば断線などの故障診断とセルの過充電検出といった２つの監視機能を備える構成が考えられる。この場合、バッテリ集中監視システムから２つのクロック信号をデイジーチェーン方式で各セル監視装置に入力し、一方のクロック信号で各セル監視装置を駆動すると共に、他方のクロック信号で各セル監視装置におけるセルの故障診断とセルの過充電検出とを交互に切り替えることで両監視機能の両立を図ることができる。
【０００６】
しかしながら、バッテリ集中監視システムがセルの故障診断とセルの過充電検出との２つの監視機能（監視状態）を切り替えるクロック信号を出力したとしても、各セル監視装置において正常に２つの監視状態が切り替わったかを判別することまではできない。このため、２つの監視状態の切り替えが各セル監視装置で正常に行われなかったとき、バッテリ集中監視システムがセルの故障診断やセルの過充電検出を誤判定してしまう可能性がある。
【０００７】
本発明は上記点に鑑み、制御信号により２つの監視状態を切り替えて交互に監視を行うに際し、２つの監視状態の切り替えが正常に行われなかったことによる監視結果の誤判定を防止することができる電池異常判定装置を提供することを目的とする。
【課題を解決するための手段】
【０００８】
上記目的を達成するため、請求項１に記載の発明では、複数の電池セルが直列に接続される組電池を所定数の電池セル毎にグループ化した単位電池それぞれに対応して設けられ、単位電池を構成する電池セルそれぞれの過充電と断線とをそれぞれ監視し、当該監視結果を出力信号として出力する複数の電池監視手段と、複数の電池監視手段のうち最も高電圧側の電池監視手段に対して制御信号を出力することにより、複数の電池監視手段において過充電を監視する状態と断線を監視する状態とを交互に切り替えて実行させる制御手段と、を備えている。
【０００９】
また、出力信号および制御信号が、複数の電池監視手段における高電圧側の単位電池に対応する電池監視手段から低電圧側の単位電池に対応する電池監視手段へと順次出力されるように複数の電池監視手段がデイジーチェーン方式で接続されることで全ての電池セルが監視されるように構成されている。
【００１０】
さらに、複数の電池監視手段それぞれは、デイジーチェーン方式で接続された高電圧側の電池監視手段から制御信号を入力すると共に、この制御信号に基づいて過充電を監視する状態と断線を監視する状態との切り替えが正常に行われたか否かを検出し、この検出結果を出力信号に含ませて出力する状態遷移異常検出手段を備えている。
【００１１】
そして、制御手段は、複数の電池監視手段のうち最も低電圧側の電池監視手段から出力信号を入力し、この出力信号に切り替えが正常に行われていないことを示す検出結果が含まれている場合、過充電を監視する状態と断線を監視する状態との切り替えに異常が生じていると判定することを特徴とする。
【００１２】
これによると、制御信号を入力した電池監視手段が、当該制御信号の内容から監視状態の切り替え（状態遷移）が指令通りに行われているかを状態遷移異常検出手段により検出してその検出結果を出力信号に含ませて出力しているので、制御手段の指令通りに電池監視手段の状態遷移が正常に行われているかを制御手段が判定することができる。したがって、制御手段において２つの監視状態の切り替えが正常に行われなかったことによる監視結果の誤判定を防止することができる。
【００１３】
また、請求項２に記載の発明のように、制御信号を所定のクロック周波数の第１クロック信号とこの第１クロック信号よりも低いクロック周波数の第２クロック信号との２つの信号で構成し、複数の電池監視手段は第２クロック信号が入力されると過充電を監視する状態と断線を監視する状態とを切り替えるようにすることができる。
【００１４】
そして、状態遷移異常検出手段は、第２クロック信号が入力されたにも関わらず第１クロック信号が入力されない場合、または、第２クロック信号が前回入力されたときから今回入力されたときまで第１クロック信号が同じ状態を維持している場合、第２クロック信号が入力されたタイミングで出力信号に切り替えが正常に行われていない検出結果を含ませて出力することを特徴とする。
【００１５】
このように、第１クロック信号に異常が生じた場合に、制御手段の指令に対して、電池監視手段が正常に動作していないことを制御手段が判定することができる。
【００１６】
一方、請求項３に記載の発明のように、制御手段は、第１クロック信号を所定の回数出力した際に第２クロック信号を出力するようになっており、状態遷移異常検出手段は、第１クロック信号が所定の回数だけ入力される間に第２クロック信号が入力されない場合、または、第２クロック信号が入力された後に第１クロック信号が所定の回数だけ入力されたにも関わらず第２クロック信号が同じ状態を維持している場合、出力信号に切り替えが正常に行われていない検出結果を含ませて出力することができる。
【００１７】
このように、第２クロック信号に異常が生じた場合に、制御手段が電池監視手段にて異常が生じていることを判定することができる。
【００１８】
そして、請求項４に記載の発明のように、出力信号を第１出力信号と第２出力信号との２つの信号で構成し、状態遷移異常検出手段は、切り替えが正常に行われていない検出結果を、第１出力信号をローレベルとすると共に第２出力信号をハイレベルとするパターンとして出力することもできる。
【００１９】
このようなパターンを予め設定しておくことで、制御手段がローレベルの第１出力信号とハイレベルの第２出力信号との組み合わせの出力信号を入力したときには、制御手段は電池監視手段にて異常が生じていると判定することができる。
【図面の簡単な説明】
【００２０】
【図１】本発明の第１実施形態に係る電池異常判定装置を含む電池制御システムの全体構成図である。
【図２】監視ＩＣのブロック構成図である。
【図３】第１監視回路および第２監視回路の回路図である。
【図４】合成ロジック部の構成図である。
【図５】所定パターン生成部で生成される所定のパターンの一覧表を示した図である。
【図６】電圧検出から断線検出に状態が遷移したときのタイミングチャートの一例である。
【図７】合成ロジック部の作動を説明するためのタイミングチャートである。
【図８】各監視ＩＣの出力信号が異常を示す所定のパターンに変更される模式図である。
【図９】本発明の第２実施形態係る合成ロジック部の作動を説明するためのタイミングチャートである。
【図１０】第２実施形態において、各監視ＩＣの出力信号が異常を示す所定のパターンに変更される模式図である。
【発明を実施するための形態】
【００２１】
以下、本発明の実施形態について図に基づいて説明する。なお、以下の各実施形態相互において、互いに同一もしくは均等である部分には、図中、同一符号を付してある。
【００２２】
（第１実施形態）
以下、本発明の第１実施形態について図を参照して説明する。図１は、本実施形態に係る電池異常判定装置を含む電池制御システムの全体構成図である。この図に示されるように、電池制御システムは、組電池１０と、複数の監視ＩＣ２０と、マイクロコンピュータ３０（以下、マイコン３０という）とを備えて構成されている。
【００２３】
組電池１０は、充放電の最小単位である電池セル１１が直列に複数接続されて構成されており、所定数の電池セル１１毎（例えば７個）にグループ化された単位電池１２の直列接続体である。本実施形態では、電池セル１１としてリチウムイオン二次電池を用いる。
【００２４】
複数の監視ＩＣ２０それぞれは、二次電池である電池セル１１の過充電および過放電を検出する過充放電検出機能と、電池セル１１に直接的にまたは間接的に接続された配線の断線を検出する断線検出機能と、を有するものである。
【００２５】
過充放電検出機能は、電池セル１１の電圧と閾値とを比較することにより電池セル１１の電圧の監視を行う機能である。電池セル１１が二次電池の場合、監視ＩＣ２０は電池セル１１の電圧が過充電を検出する過充電閾値と過放電を検出する過放電閾値との間にあるかを監視することとなる。一方、断線検出機能は、何らかの原因（例えば回路内の故障等）で配線に断線が生じたことを検出する機能である。以下、過充放電の監視を行うことを「電圧検出」といい、断線の監視を行うことを「断線検出」という。
【００２６】
各監視ＩＣ２０は、単位電池１２それぞれに対応して設けられている。そして、各監視ＩＣ２０は、対応する単位電池１２の両電極間に接続されて電源供給されることで作動すると共に、対応する単位電池１２を構成する電池セル１１それぞれの過充放電と断線とを監視する。
【００２７】
さらに、各監視ＩＣ２０は、複数の監視ＩＣ２０における高電圧側の単位電池１２に対応する監視ＩＣ２０から低電圧側の単位電池１２に対応する監視ＩＣ２０へと信号が順次出力されるようにデイジーチェーン方式で接続されている。
【００２８】
これにより、例えば、マイコン３０から出力された制御信号（ＣＬＫ＿ＩＮ１、ＣＬＫ＿ＩＮ２）や各監視ＩＣ２０から出力された出力信号（ＯＵＴ１、ＯＵＴ２）が、高電圧側の監視ＩＣ２０から低電圧側の監視ＩＣ２０に順次入出力される。すなわち、各監視ＩＣ２０は、これらの信号の入出力を行うための端子を備えている。
【００２９】
マイコン３０から出力される制御信号は、所定のクロック周波数の第１クロック信号（ＣＬＫ＿ＩＮ１）と、この第１クロック信号よりも低いクロック周波数の第２クロック信号（ＣＬＫ＿ＩＮ２）との２つの信号で構成されている。第１クロック信号のクロック周波数は常に固定ではなく、監視ＩＣ２０の動作に応じて可変される。そして、各監視ＩＣ２０は、第１クロック信号に基づいて動作し、第２クロック信号が入力されると過充放電を監視する状態と断線を監視する状態とを切り替えるようになっている。
【００３０】
なお、高電圧側の監視ＩＣ２０の出力信号（ＯＵＴ１、ＯＵＴ２）が、一段低電圧側の監視ＩＣ２０の入力信号（ＩＮ１、ＩＮ２）となる。また、最も高電圧側の監視ＩＣ２０のＩＮ１、ＩＮ２には、第１クロック信号（ＣＬＫ＿ＩＮ１）と第２クロック信号（ＣＬＫ＿ＩＮ２）とが入力されるようになっている。ここで、「第１クロック信号（または第２クロック信号）が入力される」とは、第１クロック信号（または第２クロック信号）が立ち上がったことを意味する。
【００３１】
図２は、監視ＩＣ２０のブロック構成図である。この図に示されるように、監視ＩＣ２０は、監視部４０と、合成ロジック部５０とを備えて構成されている。このうち、監視部４０は、第１監視回路６０と、第２監視回路７０と、断線検出部８０とを電池セル１１毎に備えている。
【００３２】
第１監視回路６０および第２監視回路７０は、電池セル１１の過充放電を監視する回路であり、同じ回路構成になっている。すなわち、第１監視回路６０および第２監視回路７０により、二重系の回路が構成されている。
【００３３】
図２では図示していないが、各監視回路６０、７０に第１クロック信号（ＣＬＫ＿ＩＮ１）と第２クロック信号（ＣＬＫ＿ＩＮ２）とが入力され、これらのクロック信号に従って各監視回路６０、７０が動作するようになっている。
【００３４】
図３は、第１監視回路６０および第２監視回路７０の回路図である。この図に示されるように、第１監視回路６０は、閾値と電池セル１１の電圧とを比較してその比較結果を出力するものであり、第１切替部６１、第１基準電圧源６２、および第１比較器６３を備えている。同様に、第２監視回路７０は、第２切替部７１、第２基準電圧源７２、および第２比較器７３を備えている。
【００３５】
各切替部６１、７１は、電池セル１１の電圧から閾値に相当する閾値電圧を生成するものである。このため、各切替部６１、７１は、電池セル１１の正極に電気的に接続された第１配線４１と、電池セル１１の負極に電気的に接続された第２配線４２との間に接続されている。
【００３６】
このような各切替部６１、７１は、閾値である閾値電圧を生成するべく、複数の抵抗６４、７４と複数のスイッチ６５、７５とをそれぞれ備えている。複数の抵抗６４、７４は第１配線４１と第２配線４２との間に直列に接続されている。また、スイッチ６５、７５は、例えば抵抗素子やトランジスタ等により構成されたものである。
【００３７】
そして、各スイッチ６５は各抵抗６４の接続点にそれぞれ接続されると共に、各スイッチ６５が並列接続されている。各スイッチ６５が並列接続された接続点は第１比較器６３の非反転入力端子（＋端子）に接続されている。
【００３８】
本実施形態では、１１個の抵抗６４が直列に接続され、１０個のスイッチ６５が各抵抗６４の接続点にそれぞれ接続されている。各抵抗６４のうちもっとも第２配線４２側に位置する抵抗６４は、過充電検出を行うための可変抵抗である。一方、各抵抗６４のうちもっとも第１配線４１側に位置する抵抗６４は過放電検出を行うための抵抗である。スイッチ７５、抵抗７４、および第２比較器７３の接続関係も上記と同様である。
【００３９】
そして、各スイッチ６５、７５のうちのいずれか１つがオンされることにより、各抵抗６４、７４によって電池セル１１の電圧が分圧され、この分圧が閾値電圧として各比較器６３、７３の非反転入力端子に入力される。したがって、各スイッチ６５、７５のうちもっとも第１配線４１側のスイッチ６５、７５がオンされると、第１配線４１に接続された１つの抵抗６４、７４と第２配線４２に接続された１０個の抵抗６４、７４との分圧が過放電検出閾値つまり閾値電圧として各比較器６３、７３にそれぞれ入力される。
【００４０】
このように、各スイッチ６５、７５が切り替えられることにより、過充電検出閾値、第１閾値〜第８閾値、過放電検出閾値の各閾値のいずれかに相当する分圧が閾値電圧として各切替部６１、７１から各比較器６３、７３に出力される。
【００４１】
これら過充電検出閾値、第１閾値〜第８閾値、過放電検出閾値の各閾値は、電池セル１１の電圧の範囲内に設定されている。電池セル１１としてリチウムイオン電池が用いられる場合、第１監視回路６０に設定される過充電検出閾値は例えば４．０５Ｖであり、第２監視回路７０に設定される過充電検出閾値は例えば４．２５Ｖである。このように、各監視回路６０、７０は二重系を構成しながら、過充電検出閾値の値が多少ずれている。また、各監視回路６０、７０に設定される過放電検出閾値は例えば２Ｖ等に適宜設定される。
【００４２】
なお、第１閾値〜第８閾値の各閾値については、監視ＩＣ２０が閾値の特性ずれを検出する自己診断を行うために用いることができる。第１閾値〜第８閾値の各閾値は、一定値が段階的に変化するように設定されている。例えば、一定値を０．１Ｖとすると、第１閾値と第２閾値との差が０．１Ｖ、第２閾値と第３閾値との差が０．１Ｖ、となるように各閾値が設定されている。そして、自己診断の際に、例えば、最も大きい第１閾値から最も小さい第８閾値まで段階的に切り替えられたときの各比較器６３、７３の出力に基づいて閾値の特性ずれが検出される。
【００４３】
各基準電圧源６２、７２は、一定の第１、第２基準電圧を発生させる電圧源である。各基準電圧源６２、７２は、各比較器６３、７３の反転入力端子（−端子）と第２配線４２との間にそれぞれ接続されている。
【００４４】
各比較器６３、７３は、各切替部６１、７１から閾値電圧を入力すると共に各基準電圧源６２、７２から第１、第２基準電圧をそれぞれ入力し、これらの比較結果を出力端子から第１、第２出力として出力するものである。各比較器６３、７３としてコンパレータを用いることができる。
【００４５】
そして、各比較器６３、７３の反転入力端子に第１、第２基準電圧がそれぞれ入力され、非反転入力端子に閾値電圧がそれぞれ入力される。したがって、閾値電圧が第１、第２基準電圧よりも大きいときには第１、第２出力はハイレベルの信号となり、閾値電圧が第１、第２基準電圧よりも小さいときには第１、第２出力はローレベルの信号となる。第１、第２出力は合成ロジック部５０にそれぞれ出力される。
【００４６】
断線検出部８０は、電池セル１１に接続された第１配線４１や第２配線４２等の断線を検出する回路であり、抵抗８１とスイッチ８２とを備えて構成されている。断線検出は、例えば２つの監視部４０において、高電圧側の監視部４０における断線検出部８０のスイッチ８２がオンされ、低電圧側の監視部４０における断線検出部８０のスイッチ８２がオフされたときの低電圧側の監視部４０における第１、第２監視回路６０、７０の各比較器６３、７３の出力に基づいて判定される。この判定は、マイコン３０で行われる。
【００４７】
上記の第１比較器６３の第１出力はＸ１ｉ、第２比較器７３の第２出力はＸ２ｉとしてそれぞれ出力される。「ｉ」は単位電池１２を構成する電池セル１１の数に相当する。本実施形態では単位電池１２に７個の電池セル１１が含まれているので、ｉ＝１〜７である。
【００４８】
合成ロジック部５０は、各監視部４０に第２クロック信号が入力されたことにより、各監視部４０において過充放電を監視する状態と断線を監視する状態が正常に切り替えられたかを判定し、その判定結果を監視ＩＣ２０の出力信号に含ませて出力する回路部である。
【００４９】
図４は、合成ロジック部５０の構成図である。この図に示されるように、合成ロジック部５０は、状態遷移異常検出部５１と、ＯＲ回路５２、５３と、所定パターン生成部５４、５５とを備えて構成されている。
【００５０】
状態遷移異常検出部５１は、第１クロック信号と第２クロック信号とをそれぞれ入力し、これら第１クロック信号と第２クロック信号とに基づいて過充放電を監視する状態と断線を監視する状態との切り替えが正常に行われたか否かを検出する回路部である。
【００５１】
具体的には、状態遷移異常検出部５１は、第２クロック信号が前回入力されたときから今回入力されたときまで第１クロック信号が同じ状態を維持している場合（すなわち信号のレベルの固着）を検出する。状態遷移異常検出部５１は、このようなクロック信号の異常を検出した場合や正常に各状態が切り替えられた場合に、正常と異常とを識別するための所定のパターンを生成する指示信号を所定パターン生成部５４、５５に出力する。
【００５２】
ＯＲ回路５２は、デイジーチェーン方式で接続された高電圧側の監視ＩＣ２０から入力された入力信号（ＩＮ１）と監視部４０の第１比較器６３の第１出力（Ｘ１ｉ）とのいずれか一方がハイレベルの信号であれば、ハイレベルの信号を出力する論理和回路である。同様に、ＯＲ回路５３は、デイジーチェーン方式で接続された高電圧側の監視ＩＣ２０から入力された入力信号（ＩＮ２）と監視部４０の第２比較器７３の第２出力（Ｘ２ｉ）とのいずれか一方がハイレベルの信号であれば、ハイレベルの信号を出力する論理和回路である。
【００５３】
所定パターン生成部５４は、ＯＲ回路５２の出力に所定のパターンをそれぞれ含ませて出力信号（ＯＵＴ１）として出力する回路部である。所定パターン生成部５４は、電圧源５４ａ、スイッチ５４ｂ、およびスイッチ５４ｃを備えている。電圧源５４ａは、一定電圧を発生させるものである。スイッチ５４ｂは、一方の接点が電圧源５４ａに接続され、他方の接点がＯＲ回路５２の出力端子に接続されたものである。また、スイッチ５４ｃは、一方の接点がＯＲ回路５２の出力端子に接続され、他方の接点がグランドに接続されたものである。スイッチ５４ｂ、５４ｃは、状態遷移異常検出部５１の指令により制御され、例えば抵抗素子やトランジスタ等により構成される。
【００５４】
上記の構成によると、スイッチ５４ｂがオンし、スイッチ５４ｃがオフすると、ＯＲ回路５２の出力端子の電位は電圧源５４ａの一定電圧に固定されるので、第１出力は強制的にハイレベルの信号とされる。また、スイッチ５４ｂがオフし、スイッチ５４ｃがオンすると、ＯＲ回路５２の出力端子の電位はグランドに固定されるので、第１出力は強制的にローレベルの信号とされる。このようにして、所定パターン生成部５４は、各スイッチ５４ｂ、５４ｃの切り替えによって第１出力に強制的に所定のパターンを含めて出力信号（ＯＵＴ１）として出力する。
【００５５】
同様に、所定パターン生成部５５は、電圧源５５ａ、スイッチ５５ｂ、およびスイッチ５５ｃを備えている。スイッチ５５ｂは、一方の接点が電圧源５５ａに接続され、他方の接点がＯＲ回路５３の出力端子に接続されている。また、スイッチ５５ｃは、一方の接点がＯＲ回路５３の出力端子に接続され、他方の接点がグランドに接続されている。そして、所定パターン生成部５４と同様に、所定パターン生成部５５は、状態遷移異常検出部５１の指令に従って各スイッチ５５ｂ、５５ｃの切り替えによって第２出力に強制的に所定のパターンを含めて出力信号（ＯＵＴ２）として出力する。
【００５６】
ここで、監視状態の切り替えが正常に行われていない検出結果を出力信号に含ませて出力する場合、状態遷移異常検出部５１は例えば第２クロック信号が入力されたタイミングで各所定パターン生成部５４、５５に所定パターンを生成させる。
【００５７】
図５は、所定パターン生成部５４、５５で生成される所定のパターンの一覧表を示した図である。この図において、「Ｌ」はローレベルの信号を示し、「Ｈ」はハイレベルの信号を示している。
【００５８】
図５に示されるように、監視部４０において電圧検出から断線検出に正常に状態が切り替えられた場合、ＯＵＴ１＝Ｌ、ＯＵＴ２＝Ｌのパターンが生成される。また、監視部４０において断線検出から電圧検出に正常に状態が切り替えられた場合、ＯＵＴ１＝Ｈ、ＯＵＴ２＝Ｈのパターンが生成される。このように、出力信号（ＯＵＴ１、ＯＵＴ２）にＬ、ＬまたはＨ、Ｈの組み合わせのパターンが含まれる場合、監視部４０において状態遷移が正常に行われたことを示す。
【００５９】
図６は、電圧検出から断線検出に状態が遷移したときのタイミングチャートの一例である。この図に示されるように、電圧検出の状態（図６中、斜線部）では、その検出結果が出力信号（ＯＵＴ１、ＯＵＴ２）として出力されている。そして、第１クロック信号（ＣＬＫ＿ＩＮ１）が立ち上がってからＴｄ＿ＣＬＫ時間経過後に、電圧検出から断線検出に状態を切り替える第２クロック信号（ＣＬＫ＿ＩＮ２）が立ち上がる。すなわち、第１クロック信号はローレベル、第２クロック信号はハイレベルという条件で監視状態が切り替わる。この後、例えばＴｄ＿ｓｔ２時間経過後に監視部４０は電圧検出から断線検出に状態遷移する。
【００６０】
また、第２クロック信号が立ち上がって電圧検出から断線検出に状態が遷移したタイミング、すなわち第２クロック信号が状態遷移異常検出部５１に入力されたタイミングで所定パターン生成部５４、５５により出力信号（ＯＵＴ１、ＯＵＴ２）が強制的にＬ、Ｌとされる。このＬ、Ｌの出力信号（ＯＵＴ１、ＯＵＴ２）は、第２クロック信号が立ち下がってからＴｄ＿ｓｔ２時間が経過するまで維持される。この後、出力信号（ＯＵＴ１、ＯＵＴ２）は断線検出の結果とされる。
【００６１】
なお、図６では、Ｌ、Ｌの出力信号（ＯＵＴ１、ＯＵＴ２）が生成される場合が示されているが、断線検出から電圧検出に状態遷移する場合にＨ、Ｈの出力信号（ＯＵＴ１、ＯＵＴ２）が生成される場合も同じである。すなわち、断線検出から電圧検出に状態遷移する場合、第１クロック信号はハイレベル、第２クロック信号はハイレベルという条件で監視状態が切り替わる。
【００６２】
一方、監視部４０において電圧検出から断線検出に、または断線検出から電圧検出に正常に状態遷移しない場合、ＯＵＴ１＝Ｌ、ＯＵＴ２＝Ｈのパターンが生成される。このように、出力信号（ＯＵＴ１、ＯＵＴ２）にＬ、Ｈの組み合わせのパターンが含まれる場合、監視部４０において状態遷移が正常に行われずに異常が生じていることを示す。
【００６３】
合成ロジック部５０を通過した第１クロック信号（ＣＬＫ＿ＩＮ１）および第２クロック信号（ＣＬＫ＿ＩＮ２）は、ＣＬＫ＿ＯＵＴ１、ＣＬＫ＿ＯＵＴ２として、下段の監視ＩＣ２０に出力される。また、合成ロジック部５０で所定のパターンが含められた出力信号（ＯＵＴ１、ＯＵＴ２）は下段の監視ＩＣ２０に出力される。
【００６４】
図１に示されるマイコン３０は、図示しないＣＰＵ、ＲＯＭ、ＥＥＰＲＯＭ、ＲＡＭ等を備え、ＲＯＭ等に記憶したプログラムに従って電池セル１１の過充放電の監視や断線の監視を行う制御回路である。
【００６５】
このようなマイコン３０は、デイジーチェーン方式で接続された各監視ＩＣ２０に対して制御信号として第１クロック信号（ＣＬＫ＿ＩＮ１）と第２クロック信号（ＣＬＫ＿ＩＮ２）とを出力することにより、各監視ＩＣ２０において過充放電を監視する状態（電圧検出）と断線を監視する状態（断線検出）とを交互に切り替えて実行させる。マイコン３０は、第１クロック信号を所定の回数出力した際に第２クロック信号を出力するようになっている。
【００６６】
このため、マイコン３０は、最も高電圧側の監視ＩＣ２０に対してフォトカプラ３１を介して第１クロック信号（ＣＬＫ＿ＩＮ１）と第２クロック信号（ＣＬＫ＿ＩＮ２）とを出力する。また、マイコン３０は、各監視ＩＣ２０の検出結果を入力して過充放電や断線を判定するため、各監視ＩＣ２０のうち最も低電圧側の監視ＩＣ２０からフォトカプラ３２を介して出力信号（ＯＵＴ１、ＯＵＴ２）を入力し、出力信号に含まれている電圧検出の結果や断線検出の結果を取得する。
【００６７】
さらに、マイコン３０は、出力信号に含まれている所定のパターンが異常を示すパターンである場合、すなわち過充放電を監視する状態と断線を監視する状態との切り替えが正常に行われていない検出結果（異常を示すパターン）が含まれている場合、状態の切り替えに異常が生じていると判定する。以上が、本実施形態に係る電池異常判定装置および電池制御システムの全体構成である。
【００６８】
次に、各監視ＩＣ２０において、合成ロジック部５０の状態遷移異常検出部５１が所定のパターンを生成する作動について、図７および図８を参照して説明する。なお、以下では、複数の監視ＩＣ２０のうち最も高電圧側の監視ＩＣ２０から２番目の監視ＩＣ２０の作動について説明する。
【００６９】
図７（ａ）は、第１クロック信号（ＣＬＫ＿ＩＮ１）が正常な信号である場合のタイミングチャートである。この図において、時点Ｔ１までは監視ＩＣ２０は電圧検出の状態であるとする。そして、時点Ｔ１で第１クロック信号が立ち上がり、その後、時点Ｔ２で第２クロック信号（ＣＬＫ＿ＩＮ２）が立ち上がる。この第２クロック信号は電圧検出の状態から断線検出の状態に遷移させるためのマイコン３０の指令である。この第２クロック信号の立ち上がりにより、監視ＩＣ２０は電圧検出の状態から断線検出の状態に切り替えられる。
【００７０】
なお、ＩＮ１、ＩＮ２の各信号は、最も高電圧側の監視ＩＣ２０の出力信号（ＯＵＴ１、ＯＵＴ２）である。
【００７１】
また、合成ロジック部５０の状態遷移異常検出部５１は、第１クロック信号と第２クロック信号とをそれぞれ入力し、各クロック信号に異常がないと判定すると、各所定パターン生成部５４、５５に所定のパターンを生成させる。この場合、電圧検出の状態から断線検出の状態に切り替わるので、図５に示されるように、出力信号はＯＵＴ１＝Ｌ、ＯＵＴ２＝Ｌという組み合わせのパターンとなる。
【００７２】
したがって、図７（ａ）のＡ部に示されるように、ＯＵＴ１＝Ｌ、ＯＵＴ２＝Ｌの組み合わせのパターンが含まれた出力信号が出力される。なお、図７（ａ）では、第２クロック信号の立ち上がりと同時に出力信号が出力されているが、実際はタイムラグがあるため、図６に示されるように第２クロック信号の立ち上がり（時点Ｔ２）に対して一定時間後に出力される。
【００７３】
この後、時点Ｔ３で第２クロック信号が立ち上がり、監視ＩＣ２０は断線検出の状態から電圧検出の状態に切り替えられる。これにより、状態遷移異常検出部５１は、第１クロック信号と第２クロック信号とをそれぞれ入力して各クロック信号に異常がないと判定すると、各所定パターン生成部５４、５５に所定のパターンを生成させる。この場合、断線検出の状態から電圧検出の状態に切り替わるので、図５に示されるように、出力信号にはＯＵＴ１＝Ｈ、ＯＵＴ２＝Ｈという組み合わせのパターンが含まれる。したがって、図７（ａ）のＢ部に示されるように、ＯＵＴ１＝Ｈ、ＯＵＴ２＝Ｈの組み合わせのパターンが含まれた出力信号が出力される。
【００７４】
上記のようにして出力信号に含められた所定のパターンは、デイジーチェーン方式により接続された各監視ＩＣ２０を介してマイコン３０に入力される。そして、マイコン３０は、状態の切り替えの指令（つまり第２クロック信号の出力）に対する応答（つまり出力信号に含まれる所定のパターン）が合致することを判定することで、監視状態の切り替えが正常に行われたと判定する。
【００７５】
一方、第１クロック信号がローレベルに固着する異常が生じた場合、図７（ｂ）に示されるように、状態遷移異常検出部５１にはローレベルの第１クロック信号が入力され続け、その状態で時点Ｔ２において第２クロック信号が入力されることとなる。このような第１クロック信号の異常は、監視ＩＣ２０の回路の異常等により発生する。
【００７６】
このため、状態遷移異常検出部５１は、第２クロック信号が入力されたにも関わらず第１クロック信号が入力されないため、第１クロック信号に異常が生じていると判定する。すなわち、監視ＩＣ２０に第２クロック信号が入力されて電圧検出の状態から断線検出の状態に切り替えられたとしても、監視部４０を制御する第１クロック信号が入力されなければ、監視部４０は正常に動作しないため、状態遷移異常検出部５１は異常を検出する。
【００７７】
これにより、状態遷移異常検出部５１は、図５に示されるように、出力信号にＯＵＴ１＝Ｌ、ＯＵＴ２＝Ｈという組み合わせの異常を示すパターンが含まれるように各所定パターン生成部５４、５５に所定のパターンを生成させる。したがって、図７（ｂ）のＣ部に示されるように、ＯＵＴ１＝Ｌ、ＯＵＴ２＝Ｈの組み合わせのパターンが含まれた出力信号が出力される。
【００７８】
図８は、デイジーチェーン方式で接続された各監視ＩＣ２０の出力信号が異常を示す所定のパターンに変更される模式図である。この図に示されるように、１番目の監視ＩＣ２０は電圧検出の状態から断線検出の状態に切り替えられたものの、１番目の監視ＩＣ２０のＣＬＫ＿ＯＵＴ１（第１クロック信号）がローレベル（Ｌ）の信号に固着した。このため、２番目の監視ＩＣ２０は電圧検出の状態から断線検出の状態に切り替わらず、ＯＵＴ１＝Ｌ、ＯＵＴ２＝Ｈの出力信号を出力することとなる。
【００７９】
そして、マイコン３０は、出力信号に監視状態の切り替えの異常を示す所定のパターンが含まれていることを検出することで、監視状態の切り替えに異常が生じていると判定する。
【００８０】
他方、第１クロック信号がハイレベルに固着する異常が生じた場合、図７（ｃ）に示されるように、時点Ｔ１で第１クロック信号が立ち上がった後、第１クロック信号がハイレベルを維持し続けることとなる。
【００８１】
このような場合、時点Ｔ１では第１クロック信号は正常に立ち上がり、時点Ｔ２で電圧検出の状態から断線検出の状態に切り替えるための第２クロック信号が正常に立ち上がっている。このため、状態遷移異常検出部５１は、入力した第１クロック信号と第２クロック信号とに異常がないと判定し、各所定パターン生成部５４、５５に正常に状態が切り替わったことを示す所定のパターンを生成させる。したがって、図７（ｃ）のＤ部に示されるように、正常に状態が切り替わったことを示すＯＵＴ１＝Ｈ、ＯＵＴ２＝Ｈの組み合わせのパターンが含まれた出力信号が出力される。
【００８２】
この後、第１クロック信号はハイレベルに固着されるので、時点Ｔ２後は正常に断線検出が行われていないこととなる。そして、状態遷移異常検出部５１にはハイレベルの第１クロック信号が入力され続け、その状態で時点Ｔ３において第２クロック信号が入力される。このため、状態遷移異常検出部５１は、第２クロック信号が前回入力されたときから今回入力されたときまで第１クロック信号が同じ状態（すなわちＨ固着）を維持しているため、クロック信号に異常が生じていると判定する。
【００８３】
これにより、状態遷移異常検出部５１は、ＯＵＴ１＝Ｌ、ＯＵＴ２＝Ｈという組み合わせの異常を示すパターンを各所定パターン生成部５４、５５に生成させる。したがって、図７（ｃ）のＥ部に示されるように、ＯＵＴ１＝Ｌ、ＯＵＴ２＝Ｈの組み合わせのパターンが含まれた出力信号が出力される。
【００８４】
なお、このように第１クロック信号がハイレベルの信号に固着した場合も、図８に示されるように「Ｌ固着」が「Ｈ固着」となって２番目の監視ＩＣ２０は電圧検出の状態から断線検出の状態に切り替わらず、ＯＵＴ１＝Ｌ、ＯＵＴ２＝Ｈの出力信号を出力することとなる。
【００８５】
そして、マイコン３０は、図７（ｂ）に示される場合と同様に、出力信号に状態の切り替えの異常を示す所定のパターンが含まれていることを検出して、状態の切り替えに異常が生じていると判定する。
【００８６】
なお、上記では複数の監視ＩＣ２０のうち最も高電圧側の監視ＩＣ２０から２番目の監視ＩＣ２０について説明したが、他の監視ＩＣ２０についても動作は同じである。
【００８７】
以上説明したように、本実施形態では、デイジーチェーン方式で接続された各監視ＩＣ２０がクロック信号の異常を検出するための状態遷移異常検出部５１と、状態遷移が正常に行われたかを示す所定パターン生成部５４、５５とをそれぞれ備えたことが特徴となっている。
【００８８】
これにより、制御信号である第１クロック信号および第２クロック信号を入力した監視ＩＣ２０が、これらのクロック信号から監視状態の切り替えが指令通りに行われるかを状態遷移異常検出部５１により検出することができる。また、その検出結果に応じた所定のパターンを所定パターン生成部５４、５５により出力信号に含ませて出力することができる。このため、マイコン３０は自身の指令通りに監視ＩＣ２０の状態遷移が正常に行われているかを判定することができる。
【００８９】
このように、マイコン３０は、出力信号に含まれる所定のパターンから各監視ＩＣ２０において状態の切り替えが正常に行われたかを判定できるので、マイコン３０が取得した出力信号に含まれる監視結果の誤判定を防止することができる。
【００９０】
また、本実施形態では、状態遷移が正常に行われていない場合の所定のパターンは、図５に示されるようにＯＵＴ１＝Ｌ、ＯＵＴ２＝Ｈである。これは、監視部４０の第１監視回路６０の過充電閾値（４．０５Ｖ）が第２監視回路７０の過充電閾値（４．２５Ｖ）よりも低く設定されているためである。具体的には、電池セル１１の電圧が高くなっていくと、第１監視回路６０の第１出力（Ｘ１ｉ）が第２監視回路７０よりも先にハイレベルの信号になり、さらに電池セル１１の電圧が高くなると、第２監視回路７０の第２出力（Ｘ２ｉ）がハイレベルの信号となる。したがって、第２監視回路７０の第２出力（Ｘ２ｉ）がハイレベルの信号であれば、必然的に第１監視回路６０の第１出力（Ｘ１ｉ）もハイレベルの信号となる。このため、電池セル１１の電圧検出において出力信号がＯＵＴ１＝Ｌ、ＯＵＴ２＝Ｈというパターンはあり得ないパターンである。したがって、出力信号をＯＵＴ１＝Ｌ、ＯＵＴ２＝Ｈというパターンとすることで、電池セル１１の過充電の異常を示すパターンと監視ＩＣ２０の異常のパターンとを切り分けることができる。
【００９１】
なお、本実施形態の記載と特許請求の範囲の記載との対応関係については、監視ＩＣ２０が特許請求の範囲の「電池監視手段」に対応し、マイコン３０が特許請求の範囲の「制御手段」に対応する。
【００９２】
また、状態遷移異常検出部５１および各所定パターン生成部５４、５５が特許請求の範囲の「状態遷移異常検出手段」に対応する。さらに、出力信号のＯＵＴ１が特許請求の範囲の「第１出力信号」に対応し、出力信号のＯＵＴ２が特許請求の範囲の「第２出力信号」に対応する。
【００９３】
（第２実施形態）
本実施形態では、主に第１実施形態と異なる部分について説明する。上記第１実施形態では、状態遷移異常検出部５１は第１クロック信号の異常を検出していたが、本実施形態では第２クロック信号の異常を検出することが特徴となっている。
【００９４】
すなわち、本実施形態に係る状態遷移異常検出部５１は、第１クロック信号が所定の回数だけ入力される間に第２クロック信号が入力されないことや、第２クロック信号が入力された後に第１クロック信号が所定の回数だけ入力されたにも関わらず第２クロック信号が同じ状態を維持していることを検出する。そして、状態遷移異常検出部５１は、各所定パターン生成部５４、５５に所定のパターンを生成させ、出力信号に切り替えが正常に行われていない所定のパターンを含ませて出力する
状態遷移異常検出部５１の具体的な作動について、図９および図１０を参照して説明する。なお、第１実施形態と同様に、複数の監視ＩＣ２０のうち最も高電圧側の監視ＩＣ２０から２番目の監視ＩＣ２０の作動について説明する。
【００９５】
まず、図９（ａ）において、時点Ｔ４までは監視ＩＣ２０は電圧検出の状態であるとする。そして、時点Ｔ４で第１クロック信号が立ち上がり、その後、時点Ｔ５で第２クロック信号（ＣＬＫ＿ＩＮ２）が立ち上がる。この第２クロック信号の立ち上がりにより、監視ＩＣ２０は電圧検出の状態を断線検出の状態に切り替える。
【００９６】
状態遷移異常検出部５１は時点Ｔ４で第１クロック信号を入力した後に入力される第１クロック信号の立ち上がりの数をカウントする。カウント数は例えば３回、６回、１５回等、適宜設定される。そして、状態遷移異常検出部５１は第１クロック信号の立ち上がりをカウントし、所定のカウント数をカウントする前に第２クロック信号を入力すると、第２クロック信号に異常がないと判定し、各所定パターン生成部５４、５５に所定のパターンを生成させる。
【００９７】
一方、第２クロック信号がローレベルに固着する異常が生じた場合、図９（ｂ）に示されるように、時点Ｔ５で立ち上がるはずの第２クロック信号が立ち上がらずにローレベルに維持されている。このような第２クロック信号の異常は、監視ＩＣ２０の回路の異常等により発生する。
【００９８】
このため、状態遷移異常検出部５１は、時点Ｔ４後に状態遷移異常検出部５１に入力された第１クロック信号の立ち上がりの数をカウントし、カウント数が所定回数に達した時点Ｔ６において第２クロック信号のＬ固着が確定し、第２クロック信号に異常が生じていると判定する。これにより、状態遷移異常検出部５１は、出力信号にＯＵＴ１＝Ｌ、ＯＵＴ２＝Ｈという組み合わせの異常を示すパターンが含まれるように各所定パターン生成部５４、５５に所定のパターンを生成させる。
【００９９】
そして、時点Ｔ６後、第２クロック信号が正常に入力されて当該第２クロック信号が立ち下がる時点Ｔ７までの端子固着領域においてＯＵＴ１＝Ｌ、ＯＵＴ２＝Ｈの組み合わせのパターンが含まれた出力信号が出力される。
【０１００】
図１０は、デイジーチェーン方式で接続された各監視ＩＣ２０の出力信号が異常を示す所定のパターンに変更される模式図である。この図に示されるように、１番目の監視ＩＣ２０は断線検出の状態から電圧検出の状態に切り替えられたものの、１番目の監視ＩＣ２０のＣＬＫ＿ＯＵＴ２（第２クロック信号）がローレベル（Ｌ）の信号に固着した。このため、２番目の監視ＩＣ２０は断線検出の状態から電圧検出の状態に切り替わらずに断線検出の状態を維持し、ＯＵＴ１＝Ｌ、ＯＵＴ２＝Ｈの出力信号を出力することとなる。
【０１０１】
そして、マイコン３０は、出力信号に監視状態の切り替えの異常を示す所定のパターンが含まれていることを検出する。これにより、マイコン３０は状態の切り替えに異常が生じていると判定する。
【０１０２】
他方、第２クロック信号がハイレベルに固着する異常が生じた場合、図９（ｃ）に示されるように、時点Ｔ５で第２クロック信号が立ち上がった後、第２クロック信号がハイレベルに固着する。このため、状態遷移異常検出部５１は、時点Ｔ４後に入力された第１クロック信号の立ち上がりの数をカウントし、カウント数が所定回数に達した時点Ｔ６において第２クロック信号のＨ固着が確定し、第２クロック信号に異常が生じていると判定する。これにより、状態遷移異常検出部５１は、出力信号にＯＵＴ１＝Ｌ、ＯＵＴ２＝Ｈという組み合わせの異常を示すパターンが含まれるように各所定パターン生成部５４、５５に所定のパターンを生成させる。
【０１０３】
そして、時点Ｔ６後、第２クロック信号が立ち下がる時点Ｔ８までの端子固着領域においてＯＵＴ１＝Ｌ、ＯＵＴ２＝Ｈの組み合わせのパターンが含まれた出力信号が出力される。なお、第２クロック信号がハイレベルの信号に固着した場合も、図１０に示されるように「Ｌ固着」が「Ｈ固着」となって２番目の監視ＩＣ２０は断線検出の状態から電圧検出の状態に切り替わらず、ＯＵＴ１＝Ｌ、ＯＵＴ２＝Ｈの出力信号を出力することとなる。
【０１０４】
以上説明したように、監視ＩＣ２０において何らかの原因で第２クロック信号に異常が生じた場合に、各監視ＩＣ２０で電圧検出の状態と断線検出の状態とが正常に切り替わらないことを状態遷移異常検出部５１により検出することができる。また、当該検出結果を示す所定のパターンを各所定パターン生成部５４、５５により出力信号に含めることができる。
【０１０５】
（他の実施形態）
上記各実施形態に示された各監視ＩＣ２０の構成は、単なる一例であり、回路構成等について適宜変更することができる。例えば、合成ロジック部５０の各所定パターン生成部５４、５５は、図５に示される所定のパターンを生成できる回路構成であれば他の回路でも良い。また、監視部４０の各監視回路６０、７０や断線検出部８０についても同様に、他の回路構成になっていても良い。
【０１０６】
また、上記各実施形態では、監視部４０は過充放電検出を行うための監視回路６０、７０を二重系回路として構成していたが、１つの監視回路で過充放電検出を行っても良い。この場合であっても、出力信号をＯＵＴ１、ＯＵＴ２の２つの信号で構成すれば、クロック信号の異常の有無を示す所定のパターンを各監視ＩＣ２０にて生成および出力することができる。
【０１０７】
上記各実施形態では、各監視ＩＣ２０は、二次電池である電池セル１１の過充電および過放電の両方を検出していたが、例えば過充電のみの検出でも良い。また、各監視ＩＣ２０は２つの状態を第２クロック信号の入力により切り替えていたが、２つの状態とは過充電検出、過放電検出、断線検出の他、過充放電検出の閾値の特性ずれを診断するための自己診断を行う状態でも良い。
【０１０８】
状態遷移異常検出部５１は、第１実施形態では第１クロック信号の異常検出を行い、第２実施形態では第２クロック信号の異常検出を行っていた。しかしながら、第１実施形態と第２実施形態とを組み合わせることで、状態遷移異常検出部５１は第１クロック信号および第２クロック信号の両方の異常を検出するようにしても良い。
【符号の説明】
【０１０９】
１０        組電池
１１        電池セル
１２        単位電池
２０        監視ＩＣ（電池監視手段）
３０        マイコン（制御手段）
５１        状態遷移異常検出部（状態遷移異常検出手段）
５４、５５  所定パターン生成部（状態遷移異常検出手段）
【図１】
2011134577.tif 000003
【図２】
2011134577.tif 000004
【図３】
2011134577.tif 000005
【図４】
2011134577.tif 000006
【図５】
2011134577.tif 000007
【図６】
2011134577.tif 000008
【図７】
2011134577.tif 000009
【図８】
2011134577.tif 000010
【図９】
2011134577.tif 000011
【図１０】
2011134577.tif 000012